(57)【特許請求の範囲】
【請求項１】
二分割された上下の割型が互いに分離可能に接合することにより内部に球状キャビティが形成され、このキャビティ内に成形材料を供給することにより表面に多数のディンプルを形成し、かつボールの大円線に沿って一列のディンプルが配列されたゴルフボールを成形するゴルフボール用金型において、上記割型を上記大円線からずれて分割し、その分割した接合面であるパーティングラインが、上記大円線に沿って配列された上記各ディンプルの一側縁部やや外側に沿って直線状に形成されたことを特徴とするゴルフボール用金型。
【請求項２】
上記割型のパーティングラインを上記ボールの大円線から上方又は下方に１〜２ｍｍずらして形成した請求項１記載のゴルフボール用金型。
【発明の詳細な説明】
【０００１】
【産業上の利用分野】
本発明は、特に、ゴルフボールの成形後の脱型をスムーズに行うことができるゴルフボール用金型、及び、この金型で得られたゴルフボールに関する。
【０００２】
【従来の技術及び発明が解決しようとする課題】
従来より、ゴルフボールの成形を行う際の金型としては、例えば、図３に示されるような金型が使用されている。
【０００３】
即ち、図３に示す金型は、それぞれ半球状凹部３，３が形成された金属製の上下の割型１，２を互いに分離可能に接合してなるもので、これら割型１，２を接合することにより、上記半球状凹部が合わさって内部に球状キャビティが形成されるものである。なお、図示していないが、キャビティ面にはディンプル形成用凸部が形成される。この金型を用いてゴルフボールを成形する場合は、キャビティ内に成形材料を供給して成形するものであって、これにより表面に多数のディンプルが形成されたゴルフボールが得られる。
【０００４】
この場合、従来の金型は、上記上下の割型１，２をゴルフボール４の赤道線５に対応する部分で正確に二分割することによって形成されていた。
【０００５】
このため、ゴルフボールを成形後、割型１，２を分離した場合、成形直後のゴルフボール表面は、若干の粘着性があるので、キャビティ面に粘着しているが、下割型の凹部面と上割型の凹部とでゴルフボールに対する接触面積が同じであるため、ゴルフボールが上割型に粘着して下割型から脱型されるか、或いはゴルフボールが下割型に粘着して上割型から脱型されるか一定せず、金型脱型上不便があった。
【０００６】
また、上記のように、上下の割型はゴルフボール４の赤道線５に対応して分割されるので、ゴルフボールの赤道線はディンプルを形成することが困難であり、常に金型のパーティングライン上にディンプルが配列されないようにディンプル配置を考慮しなければならず、ディンプル配置の点で不利があった。
【０００７】
本発明は、上記事情に鑑みなされたもので、金型からの脱型の際に常に一定の割型にゴルフボールを残すことが可能なゴルフボール用金型、及び、該金型で成形され、ゴルフボールの大円線にディンプル形成可能なゴルフボールを提供することを目的とする。
【０００８】
【課題を解決するための手段】
本発明は、上記目的を達成するため、二分割された上下の割型が互いに分離可能に接合することにより内部に球状キャビティが形成され、このキャビティ内に成形材料を供給することにより表面に多数のディンプルを形成し、かつボールの大円線に沿って一列のディンプルが配列されたゴルフボールを成形するゴルフボール用金型において、上記割型を上記大円線からずれて分割し、その分割した接合面であるパーティングラインが、上記大円線に沿って配列された上記各ディンプルの一側縁部やや外側に沿って直線状に形成されたことを特徴とするゴルフボール用金型を提供する。
【０００９】
【作用】
本発明のゴルフボール用金型は、金型を構成する割型がゴルフボールの大円線からずれて分割されており、その分割した接合面であるパーティングラインが、上記大円線に沿って配列された上記各ディンプルの一側縁部やや外側に沿って直線状に形成されているので、割型を接合する場合、接合部はキャビティの大円線（上下割型の場合は赤道線）からずれ、このため脱型時に割型をはずす際、各割型のキャビティ面はゴルフボール表面に接触する面積が異なる。従って、成形ゴルフボールは接触面積の大きい割型の方に付着して残るので、脱型時にゴルフボールを常に一定の割型に残すことにより常に一定の動作でゴルフボールの取り出しを行うことができる。
【００１０】
また、本発明のゴルフボール用金型を用いてゴルフボールを得ると、上述したように、割型の分割部が球状キャビティの大円線からずれているので、得られたゴルフボールの大円線にはパーティングラインが形成されることはなく、このため大円線（上下割型の場合は赤道線）にディンプルを形成することが容易になり、ゴルフボールのディンプル配列を均一化する上で有利である。
【００１１】
【実施例】
以下、本発明の実施例につき、図１及び図２を参照して説明する。なお、図３と同一構成部品については、図３と同一の参照符号を付してその説明を省略する。
【００１２】
図１は本発明のゴルフボール用金型の一実施例を示すもので、この金型は図３と同様に上下割型１，２から構成されているが、これら割型１，２は、図３の従来の金型とは異なり、ゴルフボール４の赤道線（大円線）５とずれて分割されているものである。この場合、図示の金型では、赤道線５より上割型１にずれた位置で分割されている。なお、本発明は、この例に限られず、下割型２側にずれて分割することができる。ここで、ずれの程度は、具体的には、赤道線から上方（又は下方）に１〜２ｍｍずれた位置で分割することが好適である。赤道線からのずれが少ないと、割型分離の際にゴルフボールが一定の割型に残り難くなり、またゴルフボールの大円線にディンプルを配置し難くなる。逆に、ずれが大きすぎると、ゴルフボールは球形であるので、ゴルフボールはある程度の弾性があるとはいえ、ずれて分割された割型からの脱型が困難になる。
【００１３】
なお、金型の分割は、図示したような水平方向に沿った分割が好適であるが、必ずしもこれに限られない。
【００１４】
上記実施例の金型を用いてゴルフボール成形後に脱型を行う場合、上記実施例の上下割型の凹部面は、成形ゴルフボール表面との接触面積が上割型の方が下割型より少ないので、ゴルフボール表面との接触面積の広い下割型キャビティ内にゴルフボールが一定に残る。このため上記実施例の金型を使用すれば、脱型の際、はずしていく割型の順序を一定にすれば、一定の割型（上記例では下割型）にゴルフボールが残るので、脱型作業の能率を向上させることができる。
【００１５】
上記実施例の金型を用いて得たゴルフボールは、割型の分割部分が大円線（赤道線）にかからないので、図２に示されるように、ゴルフボール４上に残るパーティングライン６は破線で示されるゴルフボール４の大円線（赤道線）５からずれた実線で示す部分となり、従って、ゴルフボールの大円線（赤道線）５上に
ディンプル７を形成することができるので、ディンプルを均一配列する上で有利である。
【００１７】
また、上記ゴルフボール用金型を使用して、ゴルフボールの成形を行う場合は、常法を採用することができ、加圧加硫成形、圧縮成形、射出成形等の成形方法に好適に使用し得、この場合の成形材料等も特に制限されることなく使用でき、ゴルフボールを成形することができる。
【００１８】
以上、本発明を詳細に説明したが、本発明の金型はゴルフボール用コア（球状体）の製造にも応用することができる。即ち、コアとなる球状体製造用の金型において、二分割される割型を上下割型共に同一の半球状キャビティを有するように形成するのではなく、割型の分割面と、製造される球状体の赤道線の位置とが一致しないようにしておけば、球状体の脱型の際に球状体が分割型のどちらか一方に付着するようにすることができる。このようにすれば脱型の工程が短時間で済むようになり、便利である。
【００１９】
【発明の効果】
本発明のゴルフボール用金型は、ゴルフボールの脱型時に常に一定の割型にゴルフボールが残るので、常に一定の動作でゴルフボールを金型からはずすことができ、脱型を容易に行うことができる。また、この金型を使用してゴルフボールを得ると、ゴルフボールの大円線にはパーティングラインが形成されることがないので、ディンプルを均等配列する上で有利である。
【図面の簡単な説明】
【図１】  本発明の一実施例にかかる金型を示す断面図である。
【図２】  同実施例の金型で形成したゴルフボールを示す側面図である。
【図３】  従来の金型の一例を示す断面図である。
【符号の説明】
１  上割型
２  下割型
３  凹部
４  ゴルフボール
５  大円線（赤道線）
６  パーティングライン
７  ディンプル
【図１】
0003716871.tif 000002
【図２】
0003716871.tif 000003
【図３】
0003716871.tif 000004